(57)【特許請求の範囲】
【請求項１】
相手側コネクタとの嵌合連結が行われる所定の方向に伸びる嵌合係合部を形成するものとされて、配線基板の面上に配される絶縁ハウジングと、
上記所定の方向に沿って配列配置されて上記絶縁ハウジングにより保持され、各々が上記配線基板の面に平行に伸びて該配線基板の面に設けられたシグナル端子部に接続されるシグナル接続端子部と上記嵌合係合部に配されるシグナル用接触部とを有し、該シグナル用接触部が上記相手側コネクタに配された相手側シグナルコンタクトに接触するものとされる複数のシグナルコンタクトと、
該複数のシグナルコンタクトの配列中に配されて上記絶縁ハウジングにより保持され、上記配線基板に設けられたグラウンド端子部に接続されるグラウンド接続端子部と上記嵌合係合部に配されるグラウンド用接触部とを有し、該グラウンド用接触部が上記相手側コネクタに配された相手側グラウンドコンタクトに接触するものとされる少なくとも一つのグラウンドコンタクトと、
上記絶縁ハウジングにおける上記嵌合係合部の外側部分を部分的に覆い、上記配線基板における上記グラウンド端子部を含むグラウンド電位部に接続される導電性シェルと、
を備えて成り、
上記グラウンドコンタクトが、上記絶縁ハウジングにより保持されたシグナルコンタクトを成すものとして上記所定の方向に沿って配列配置された複数のコンタクトのうちの一つもしくは複数個が、上記シグナル接続端子部に代えて上記グラウンド接続端子部を有するものとされることにより形成されて、上記グラウンド接続端子部が上記シグナル接続端子部より小なる寸法をもって上記配線基板の面に平行に伸びるものとされ、
上記導電性シェルが、上記グラウンドコンタクトのグラウンド接続端子部に対応する部位において上記複数のシグナルコンタクトの配列方向に直交する方向をもって上記配線基板の面に平行に伸びる短冊状部を成すものとして形成されたグラウンド接続片部を有し、該グラウンド接続片部と上記グラウンドコンタクトのグラウンド接続端子部とが、両者に共通のものとされる上記配線基板の面に設けられたグラウンド端子部に、上記配線基板の面に沿い上記複数のシグナルコンタクトの配列方向に直交する方向に配列されて、半田接続されるものとされたことを特徴とするコネクタ装置。
【請求項２】
上記グラウンドコンタクトが、上記複数のシグナルコンタクトの配列中に所定の間隔をおいて複数個配され、上記導電性シェルにおける上記複数のグラウンドコンタクトのグラウンド接続端子部に夫々対応する複数の部位の各々に上記グラウンド接続片部が形成されることを特徴とする請求項１記載のコネクタ装置。
【請求項３】
上記導電性シェルにおける上記グラウンド接続片部が形成された部位に連なる部位に、上記複数のシグナルコンタクトのシグナル接続端子部との接触を回避する上記所定の方向に沿って伸びる切欠部が形成されていることを特徴とする請求項１記載のコネクタ装置。
【発明の詳細な説明】
【技術分野】
【０００１】
本願の特許請求の範囲に記載された発明は、ソリッド配線基板等の配線基板に装着されて用いられ、例えば、別のソリッド配線基板等の配線基板に装着された相手側コネクタ装置に嵌合連結されるコネクタ装置に関する。
【背景技術】
【０００２】
携帯電話機等の比較的小型な電子機器においても、種々の電子部品が多数内蔵されるが、それらの電子部品の多くは各々がソリッド配線基板等とされる複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって相互連結されざるを得ないものとされる。このような二つの配線基板のうちの一方が他方に対面近接して重ね合わせられる連結態様を、以下においては対面近接重ね合わせ連結ということとする。
【０００３】
一般的に、各々がソリッド配線基板等とされる複数の配線基板の相互連結は、各配線基板にコネクタが取り付けられ、それらのコネクタが相互接続されることにより行われることが多く、二つの配線基板についての対面近接重ね合わせ連結をする場合においても、各配線基板に取り付けられるコネクタを用いることが考えられる。斯かる際、二つの配線基板のうちの一方に取り付けられるコネクタがプラグコネクタとされ、二つの配線基板のうちの他方に取り付けられる相手側コネクタがリセプタクルコネクタとされ、二つの配線基板の対面近接重ね合わせ連結が行われるときには、プラグコネクタがリセプタクルコネクタに嵌合連結される。
【０００４】
斯かる場合、プラグコネクタは、二つの配線基板のうちの一方に配されるプラグ側絶縁ハウジングを備え、また、リセプタクルコネクタは、二つの配線基板のうちの他方に配されるリセプタクル側絶縁ハウジングを備える。そして、プラグ側絶縁ハウジングは、例えば、その長手方向に伸びて、リセプタクル側絶縁ハウジングにその長手方向に伸びるものとして設けられた嵌合凹部に挿入される嵌合凸部を形成するものとされる。これらのリセプタクル側絶縁ハウジングに設けられた嵌合凹部及びプラグ側絶縁ハウジングが形成する嵌合凸部の夫々は、相互に嵌合連結される嵌合係合部を構成している。
【０００５】
このようなもとで、プラグコネクタ及びリセプタクルコネクタのいずれか、例えば、プラグコネクタについて考察すると、プラグコネクタが備えるプラグ側絶縁ハウジングには、プラグ側絶縁ハウジングが配された配線基板（プラグ側配線基板という。）に設けられた複数のシグナル端子部に夫々接続される複数のプラグ側シグナルコンタクトが、嵌合凸部に沿って配列配置されて設けられ、さらに、プラグ側配線基板に設けられたグラウンド端子部に接続されるプラグ側グラウンドコンタクトが設けられる。斯かるプラグ側絶縁ハウジングを備えたプラグコネクタは、多くの場合、プラグ側絶縁ハウジングにおける嵌合凸部の外側部分を部分的に覆い、プラグ側配線基板におけるグラウンド端子部を含むグラウンド電位部に接続されてグラウンド電位が与えられるものとされる、導電性シェルを備える。
【０００６】
そして、プラグ側配線基板とリセプタクルコネクタが備えるリセプタクル側絶縁ハウジングが配された配線基板（リセプタクル側配線基板という。）との対面近接重ね合わせ連結が行われるべく、プラグコネクタ側絶縁ハウジングが形成する嵌合凸部が、リセプタクルコネクタ側絶縁ハウジングに設けられた嵌合凹部に挿入されて、プラグコネクタがリセプタクルコネクタとの嵌合連結状態におかれるとき、複数のプラグ側シグナルコンタクトが、リセプタクルコネクタ側絶縁ハウジングに設けられた嵌合凹部に沿って配列配置された複数のリセプタクル側シグナルコンタクトに夫々接触接続され、また、プラグ側グラウンドコンタクトが、リセプタクルコネクタ側絶縁ハウジングに設けられたリセプタクル側グラウンドコンタクトに接触接続される。それにより、プラグ側配線基板に設けられたシグナル端子部が、リセプタクル側配線基板に設けられたシグナル端子部に、プラグコネクタ及びリセプタクルコネクタを介して接続され、また、プラグ側配線基板に設けられたグラウンド端子部が、リセプタクル側配線基板に設けられたグラウンド端子部に、プラグコネクタ及びリセプタクルコネクタを介して連結される。
【０００７】
このようなプラグコネクタにおいて、導電性シェルは、通常、プラグ側絶縁ハウジングが形成する嵌合凸部が伸びる方向（複数のプラグ側シグナルコンタクトの配列方向）の両端部が、それに設けられたグラウンド接続部を介してプラグ側配線基板におけるグラウンド電位部に接続される。このように、導電性シェルにおける嵌合凸部が伸びる方向の両端部がグラウンド接続部を介してプラグ側配線基板におけるグラウンド電位部に接続されるのは、プラグコネクタにおいて嵌合凸部に沿って配列配置された複数のプラグ側シグナルコンタクトの夫々のプラグ側配線基板に設けられた複数のシグナル端子部との接続に支障を及ぼさないようにするためである。
【０００８】
しかしながら、導電性シェルにおける嵌合凸部が伸びる方向の両端部に設けられたグラウンド接続部がプラグ側配線基板におけるグラウンド電位部に接続されたもとにあっては、導電性シェルにおける嵌合凸部が伸びる方向の両端部の間において、グラウンド接続部からの距離が比較的大となる部分が生じ、斯かる部分にプラグ側配線基板に設けられたシグナル端子部に接続されたプラグ側シグナルコネクタを通じて伝送される高周波シグナルが作用すると、当該部分とグラウンド接続部との間に微細な電位差が現れることになって、プラグ側シグナルコンタクトに対する良好なグラウンド特性が得られなくなってしまう虞がある。そこで、導電性シェルにおける嵌合凸部が伸びる方向の両端部以外の部分にもグラウンド接続部を設けることが考えられるが、プラグコネクタのより一層の小型化や薄型化が図られるもとにあっては、導電性シェルに設けられるグラウンド接続部は、その配置位置や個数についての厳しい制約を受けることになり、導電性シェルにおける嵌合凸部が伸びる方向の両端部以外の部分に設けられることが困難とされてしまう。
【０００９】
それゆえ、複数のプラグ側もしくはリセプタクル側シグナルコンタクトが配列配置されたプラグ側もしくはリセプタクル側絶縁ハウジングの外面を部分的に覆う導電性シェルを有したプラグコネクタもしくはリセプタクルコネクタであって、その導電性シェルについて、複数のプラグ側もしくはリセプタクル側コンタクトの配列方向の両端部だけでなく、斯かる両端部の間における複数箇所も、プラグ側もしくはリセプタクル側絶縁ハウジングが配されたプラグ側もしくはリセプタクル側配線基板におけるグラウンド電位部に接続されることになる工夫が施されたものも、従来提案されている（例えば、特許文献１参照。）。
【００１０】
上述の特許文献１に開示されている、従来提案されたプラグコネクタ (1)にあっては、絶縁ハウジング（プラグ側絶縁ハウジング）(2) にその長手方向に沿って配列配置されて設けられた複数のターミナル（プラグ側シグナルコンタクト）(3) のうちの幾つかが、プリント基板（プラグ側配線基板）のグランド回路（グラウンド電位部）に接続されるグランドターミナル（プラグ側グラウンドコンタクト）とされる。そして、絶縁ハウジング(2) の外面を部分的に覆うシールド（導電性シェル）(4) における各々がグランドターミナルに対応する箇所に、リード片（9)が形成されており、これらのリード片（9)が、グランドターミナルとされたターミナル(3) に弾接係合（弾性力を伴った接触係合）し、それにより、シールド(4) がリード片（9)を介してグランドターミナルとされたターミナル(3) に電気的に導通される。その結果、シールド(4) における複数のターミナル(3) の配列方向の両端部の間の部分が、グランドターミナルとされたターミナル(3) を介して、プリンント基板のグランド回路に接続されることになる。
【００１１】
また、従来提案されたリセプタクルコネクタ（11) にあっては、絶縁ハウジング（リセプタクル側絶縁ハウジング）(12)にその長手方向に沿って配列配置されて設けられた複数のターミナル（リセプタクル側シグナルコンタクト）(13)のうちの幾つかが、プリント基板（リセプタクル側配線基板）のグランド回路（グラウンド電位部）に接続されるグランドターミナル（リセプタクル側グラウンドコンタクト）とされる。そして、絶縁ハウジング(12)の外面を部分的に覆うシールド（導電性シェル）(14)における各々がグランドターミナルに対応する箇所に、リード片（19) が形成されており、これらのリード片（19) が、グランドターミナルとされたターミナル(13)に弾接係合し、それにより、シールド(14)がリード片（19) を介してグランドターミナルとされたターミナル(13)に電気的に導通される。その結果、シールド(14)における複数のターミナル(13)の配列方向の両端部の間の部分が、グランドターミナルとされたターミナル(13)を介して、プリンント基板のグランド回路に接続されることになる。
【先行技術文献】
【特許文献】
【００１２】
【特許文献１】特開平９−２３７６５６号公報（段落：００１０〜００１３、図１，図２）
【発明の概要】
【発明が解決しようとする課題】
【００１３】
上述の特許文献１に示されるような、導電性シェルにおける複数のプラグ側もしくはリセプタクル側シグナルコンタクトの配列方向の両端部の間の部分が、導電性シェルに形成されたリード片が弾性力を伴って接触係合するプラグ側もしくはリセプタクル側グラウンドコンタクトを介して、配線基板におけるグラウンド電位部に接続される、従来提案されているプラグコネクタもしくはリセプタクルコネクタにあっては、導電性シェルとプラグ側もしくはリセプタクル側配線基板におけるグラウンド電位部との接続状態が、導電性シェルに形成されたリード片とプラグ側もしくはリセプタクル側グラウンドコンタクトとの間の接触係合を介してとられるので、その確実性及び安定性がリード片のプラグ側もしくはリセプタクル側グランドコンタクトとの接触状況によって左右されてしまうという不都合がもたらされる。例えば、リード片とプラグ側もしくはリセプタクル側グラウンドコンタクトとの相互位置関係やリード片がプラグ側もしくはリセプタクル側グラウンドコンタクトに及ぼす弾性力の程度等に起因して、リード片のプラグ側もしくはリセプタクル側グラウンドコンタクトとの接触がプラグ側もしくはリセプタクル側グラウンドコンタクトに十分な押圧力を作用させることなく行われる場合、あるいは、リード片とプラグ側もしくはリセプタクル側グラウンドコンタクトとの間に微細な異物が介在するもとで行われる場合には、リード片とプラグ側もしくはリセプタクル側グラウンドコンタクトとの間の電気抵抗が増大せしめられて、導電性シェルとプラグ側もしくはリセプタクル側配線基板におけるグラウンド電位部との接続状態が、確実かつ安定に行われないことになってしまう。
【００１４】
即ち、導電性シェルにおける複数のプラグ側もしくはリセプタクル側シグナルコンタクトの配列方向の両端部の間の部分が、プラグ側もしくはリセプタクル側グラウンドコンタクトを介して、プラグ側もしくはリセプタクル側配線基板におけるグラウンド電位部に接続される、従来提案されているプラグコネクタもしくはリセプタクルコネクタにあっては、導電性シェルのプラグ側もしくはリセプタクル側配線基板におけるグラウンド電位部との接続状態が確実性と安定性とに欠けるものとなる虞があることになる。
【００１５】
斯かる点に鑑み、本願の特許請求の範囲に記載された発明は、複数のシグナルコンタクトとグラウンドコンタクトとが配列配置されて配線基板上に配される絶縁ハウジングと、絶縁ハウジングを部分的に覆う導電性シェルとを備え、複数のシグナルコンタクトが、絶縁ハウジングが配された配線基板に設けられた複数のシグナル端子部に夫々接続されるとともに、グラウンドコンタクトが、絶縁ハウジングが配された配線基板に設けられたグラウンド端子部に接続され、絶縁ハウジングが形成する嵌合係合部が相手側コネクタに嵌合連結されたとき、複数のシグナルコンタクトが相手側コネクタにおける複数の相手側シグナルコンタクトに夫々接触接続されるとともに、グラウンドコンタクトが相手側コネクタにおける相手側グラウンドコンタクトに接触接続されるものであって、導電性シェルにおける複数のシグナルコンタクトの配列方向の両端部の間の部分が配線基板におけるグラウンド電位部に確実かつ安定に接続されるコネクタ装置を提供する。
【課題を解決するための手段】
【００１６】
本願の特許請求の範囲における請求項１から請求項３までのいずれかに記載された発明（以下、本発明という。）に係るコネクタ装置は、相手側コネクタとの嵌合連結が行われる所定の方向に伸びる嵌合係合部を形成するものとされて、配線基板の面上に配される絶縁ハウジングと、上述の所定の方向に沿って配列配置されて絶縁ハウジングにより保持され、各々が配線基板の面に平行に伸びてその配線基板の面に設けられたシグナル端子部に接続されるシグナル接続端子部と嵌合係合部に配されるシグナル用接触部とを有し、シグナル用接触部が相手側コネクタに配された相手側シグナルコンタクトに接触するものとされる複数のシグナルコンタクトと、複数のシグナルコンタクトの配列中に配されて絶縁ハウジングにより保持され、配線基板に設けられたグラウンド端子部に接続されるグラウンド接続端子部と嵌合係合部に配されるグラウンド用接触部とを有し、グラウンド用接触部が相手側コネクタに配された相手側グラウンドコンタクトに接触するものとされる少なくとも一つのグラウンドコンタクトと、絶縁ハウジングにおける嵌合係合部の外側部分を部分的に覆い、配線基板におけるグラウンド端子部を含むグラウンド電位部に接続される導電性シェルとを備えて構成される。そして、斯かる本発明に係るコネクタ装置は、グラウンドコンタクトが、絶縁ハウジングにより保持されたシグナルコンタクトを成すものとして上述の所定の方向に沿って配列配置された複数のコンタクトのうちの一つもしくは複数個が、シグナル接続端子部に代えてグラウンド接続端子部を有するものとされることにより形成されて、グラウンド接続端子部がシグナル接続端子部より小なる寸法をもって配線基板の面に平行に伸びるものとされ、また、導電性シェルが、グラウンドコンタクトのグラウンド接続端子部に対応する部位において複数のシグナルコンタクトの配列方向に直交する方向をもって配線基板の面に平行に伸びる短冊状部を成すものとして形成されたグラウンド接続片部を有し、そのグラウンド接続片部とグラウンドコンタクトのグラウンド接続端子部とが、両者に共通のものとされる配線基板の面に設けられたグラウンド端子部に、配線基板の面に沿い複数のシグナルコンタクトの配列方向に直交する方向に配列されて、半田接続されるものとされたことを特徴とする。
【００１７】
特に、本願の特許請求の範囲における請求項２に記載された本発明に係るコネクタ装置にあっては、グラウンドコンタクトが、複数のシグナルコンタクトの配列中に所定の間隔をおいて複数個配され、導電性シェルにおける複数のグラウンドコンタクトのグラウンド接続端子部に夫々対応する複数の部位の各々にグラウンド接続片部が形成されることを特徴とする。
【００１８】
上述のように構成される本発明に係るコネクタ装置においては、配線基板の面に設けられたグラウンド端子部に接続される、シグナル接続端子部より小なる寸法をもって配線基板の面に平行に伸びるものとされたグラウンド接続端子部を有した少なくとも一つのグラウンドコンタクトが、複数のシグナルコンタクトの配列中に配されて絶縁ハウジングに設けられたもとで、絶縁ハウジングにおける嵌合係合部の外側部分を部分的に覆う導電性シェルが、グラウンドコンタクトのグラウンド接続端子部に対応する部位において複数のシグナルコンタクトの配列方向に直交する方向をもって配線基板の面に平行に伸びる短冊状部を成すものとして形成されたグラウンド接続片部を有し、そのグラウンド接続片部とグラウンドコンタクトのグラウンド接続端子部とが、両者に共通のものとされる配線基板の面に設けられたグラウンド端子部に、配線基板の面に沿い複数のシグナルコンタクトの配列方向に直交する方向に配列されて、半田接続されるものとされている。それにより、導電性シェルは、例えば、複数のシグナルコンタクトの配列方向の両端部が配線基板におけるグラウンド電位部に接続されたもとで、それに加えて、斯かる両端部の間に位置する部位となる、グラウンドコンタクトのグラウンド接続端子部に対応する部位も、グラウンド接続片部を通じて配線基板におけるグラウンド電位部に含まれるグラウンド端子部にグラウンドコンタクトのグラウンド接続端子部と共に接続される。
【００１９】
また、本願の特許請求の範囲における請求項２に記載された本発明に係るコネクタ装置においては、グラウンドコンタクトが、複数のシグナルコンタクトの配列中に所定の間隔をおいて複数個配されたものとされる。そして、それに伴い、導電性シェルにおける複数のグラウンドコンタクトのグラウンド接続端子部に夫々対応する複数の部位の各々にグラウンド接続片部が形成され、その結果、導電性シェルに複数のグラウンド接続片部が所定の間隔をおいて設けられ、それらの夫々が配線基板におけるグラウンド電位部に含まれるグラウンド端子部に接続されることになる。
【発明の効果】
【００２０】
上述のような本発明に係るコネクタ装置にあっては、絶縁ハウジングにおける嵌合係合部の外側部分を部分的に覆う導電性シェルが、複数のシグナルコンタクトの配列方向の両端部の間の部位となる、グラウンドコンタクトのグラウンド接続端子部に対応する部位に、グラウンドコンタクトのグラウンド接続端子部と共に配線基板におけるグラウンド電位部に含まれるグラウンド端子部に半田接続されるグラウンド接続片部が形成されたものとされ、それにより、複数のシグナルコンタクトの配列方向の両端部の間の部位にグラウンド電位が与えられるものとされる。従って、本発明に係るコネクタ装置によれば、導電性シェルを、例えば、複数のシグナルコンタクトの配列方向の両端部が配線基板におけるグラウンド電位部に接続され、それに加えて、斯かる両端部の間に位置する部位も、配線基板におけるグラウンド電位部に含まれるグラウンド端子部に接続されたものとして、複数のシグナルコンタクトの配列方向の両端部とそれらの間の部位とにおいて、グラウンド電位が与えられるものとすることができる。その結果、導電性シェルは、複数のシグナルコンタクトに対する優れたグラウンド特性を呈するものとなる。
【００２１】
また、本発明に係るコネクタ装置にあっては、グラウンドコンタクトのグラウンド接続端子部がシグナル接続端子部より小なる寸法をもって配線基板の面に平行に伸びるものとされ、導電性シェルにおけるグラウンドコンタクトのグラウンド接続端子部に対応する部位に複数のシグナルコンタクトの配列方向に直交する方向をもって配線基板の面に平行に伸びる短冊状部を成すグラウンド接続片部が形成され、そのグラウンド接続片部とグラウンドコンタクトのグラウンド接続端子部とが、両者に共通のものとされる配線基板に設けられたグラウンド端子部に、配線基板の面に沿い複数のシグナルコンタクトの配列方向に直交する方向に配列されて、半田接続されることによって、導電性シェルにおける複数のシグナルコンタクトの配列方向の両端部の間の部位が配線基板におけるグラウンド電位部に接続される状態がとられる。それにより、グラウンドコンタクトのグラウンド接続端子部及び導電性シェルのグラウンド接続片部が配線基板に設けられたグラウンド端子部に確実かつ堅固に半田付けされ、例えば、コネクタ装置のより一層の小型化や薄型化が図られて、導電性シェルに設けられるグラウンド接続用の端子部が配置位置や個数についての厳しい制約を受けるもとにあっても、導電性シェルにおける複数のシグナルコンタクトの配列方向の両端部の間の部位が配線基板におけるグラウンド電位部に確実かつ安定に接続されることになる。
【００２２】
さらに、本発明に係るコネクタ装置にあっては、グラウンドコンタクトのグラウンド接続端子部及び導電性シェルのグラウンド接続片部が、配線基板の面に沿い複数のシグナルコンタクトの配列方向に直交する方向に配列されて、配線基板に設けられたグラウンド端子部に半田接続されるので、グラウンド端子部の複数のシグナルコンタクトの配列方向における寸法を、シグナルコンタクトのシグナル接続端子部が接続されるシグナル端子部より大とする必要がなく、シグナル端子部と同等のものとすることができる。また、導電性シェルのグラウンド接続片部が、複数のシグナルコンタクトの配列方向に直交する方向をもって配線基板の面に平行に伸びる短冊状部を成すものとして形成されるので、配線基板に設けられたグラウンド端子部への半田付けが容易かつ確実に行われるものとされる。それに加えて、グラウンドコンタクトのグラウンド接続端子部及び導電性シェルのグラウンド接続片部は、複数のシグナルコンタクトの配列方向における配置位置について格別の制約を受けるものではないので、配線基板におけるグラウンド電位部に含まれるグラウンド端子部の位置に応じた導電性シェルおける任意の部位を、配線基板におけるグラウンド電位部との接続部分とすることができる。
【図面の簡単な説明】
【００２３】
【図１】本発明に係るコネクタ装置の一例を示す平面図である。
【図２】本発明に係るコネクタ装置の一例を示す正面図である。
【図３】本発明に係るコネクタ装置の一例からそれが備える導電性シェルが除去された状態を示す平面図である。
【図４】本発明に係るコネクタ装置の一例からそれが備える導電性シェルが除去された状態を示す正面図である。
【図５】図３における一点鎖線枠Ｐ内を拡大して示す部分平面図である。
【図６】本発明に係るコネクタ装置の一例が配線基板に装着された状態を示す斜視図である。
【図７】本発明に係るコネクタ装置の一例が配線基板に装着されたもとで導電性シェルが除去された状態を示す斜視図である。
【図８】本発明に係るコネクタ装置の一例が配線基板に装着された状態のもとにおける部分断面を示す部分斜視図である。
【図９】本発明に係るコネクタ装置の一例が配線基板に装着された状態のもとにおける部分断面を示す部分斜視図である。
【図１０】本発明に係るコネクタ装置の一例が嵌合連結される相手側コネクタの一例を示す斜視図である。
【図１１】本発明に係るコネクタ装置の一例が相手側コネクタに嵌合連結された状態を示す部分断面図である。
【図１２】本発明に係るコネクタ装置の一例が相手側コネクタに嵌合連結された状態を示す部分断面図である。
【発明を実施するための形態】
【００２４】
本発明を実施するための形態は、以下に述べられる本発明についての実施例をもって説明される。
【実施例】
【００２５】
図１（平面図）及び図２（正面図）は、本発明に係るコネクタ装置の一例を示す。
【００２６】
図１及び図２において、本発明に係るコネクタ装置の一例を成すコネクタ装置１０は、配線基板に装着されて当該配線基板に設けられた電気回路構成部との電気的接続がなされたもとで、例えば、他の配線基板に装着された相手側コネクタとされるリセプタクルコネクタに嵌合連結されるプラグコネクタとして用いられるものとされている。
【００２７】
コネクタ装置１０は、合成樹脂等の絶縁材料によって形成された絶縁ハウジング１１、及び、外部に対するシールド作用等をもたらすべく絶縁ハウジング１１に配された金属製の導電性シェル１２を備えている。絶縁ハウジング１１は、各々がコネクタ装置１０が嵌合連結されるリセプタクルコネクタ（相手側コネクタ）におけるリセプタクル側絶縁ハウジング（相手側絶縁ハウジング）に設けられた嵌合凹部に嵌合挿入される、一対の嵌合凸部１３を形成している。一対の嵌合凸部１３は、夫々が絶縁ハウジング１１の長手方向（以下、ハウジング長手方向という）に伸びるものとされていて、互いに平行に配されている。リセプタクル側絶縁ハウジングに設けられた嵌合凹部と絶縁ハウジング１１が形成する嵌合凸部１３とは、夫々が嵌合係合部を構成している。そして、絶縁ハウジング１１は、コネクタ装置１０が装着された配線基板（以下、配線基板４０という。）の面上に配される。配線基板４０は、図１及び図２においては図示が省略されており、後述される図８及び図９に示されている。
【００２８】
導電性シェル１２は、絶縁ハウジング１１を配線基板４０の面上において当該面に沿って包囲しており、絶縁ハウジング１１における嵌合凸部１３の外側部分を部分的に覆うものとされている。そして、導電性シェル１２には、ハウジング長手方向の両端部に、配線基板４０の面に設けられたグラウンド電位部２５（後述される図６及び図７に示されている。）に半田接続されるもの、即ち、半田付けされて接続されるものとされたグラウンド接続取付部１２ａが設けられるとともに、ハウジング長手方向の両端部に夫々設けられたグラウンド接続取付部１２ａの間となる部位に、後述される複数のシグナルコンタクト１５の配列方向に直交する方向をもって配線基板４０の面に平行に伸びる短冊状部を成して、配線基板４０の面に設けられたグラウンド電位部２５に含まれるグラウンド端子部２６（後述される図６及び図７に示されている。）に半田付けされて接続される、複数のグラウンド接続片部１４が設けられている。
【００２９】
絶縁ハウジング１１には、それにより保持された複数のシグナルコンタクト１５が、ハウジング長手方向に沿って、所定の相互間距離をおいて配列配置された状態をもって設けられている。また、絶縁ハウジング１１には、それにより保持された複数のグラウンドコンタクト１６が、配列配置された複数のシグナルコンタクト１５の配列中に配されたものとして設けられている。このようなもとで、複数のグラウンドコンタクト１６は、ハウジング長手方向に沿う複数のシグナルコンタクト１５の配列中に、例えば、相互隣接する２個が少なくとも１個のシグナルコンタクト１５を挟むことになる所定の相互間距離をおいて、配されていることになる。
【００３０】
複数のシグナルコンタクト１５及び複数のグラウンドコンタクト１６の夫々は、例えば、弾性を有した金属板材料に打抜き折曲げ加工が施されて形成され、全体として弾性と導電性とを具えた屈曲帯状体を成すものとされている。
【００３１】
図３（平面図）及び図４（正面図）は、図１及び図２に示されるコネクタ装置１０から導電性シェル１２が除去された状態を示す。
【００３２】
図３及び図４に示されるように、ハウジング長手方向に沿って配列配置されて絶縁ハウジング１１により保持された複数のシグナルコンタクト１５の夫々は、複数のシグナルコンタクト１５の配列方向に直交する方向をもって配線基板４０（図３及び図４においても図示が省略されている。）の面に平行に伸び、配線基板４０の面に設けられたシグナル端子部２７（後述される図６及び図７に示されている。）に半田付けされて接続されるシグナル接続端子部１５ａと、絶縁ハウジング１１が形成している嵌合係合部を構成する嵌合凸部１３に配されて、リセプタクルコネクタに配されたリセプタクル側シグナルコンタクト（相手側シグナルコンタクト）に接触するものとされるシグナル用接触部１５ｂとを有している。また、ハウジング長手方向に沿う複数のシグナルコンタクト１５の配列中に配されて絶縁ハウジング１１により保持された複数のグラウンドコンタクト１６の夫々は、複数のシグナルコンタクト１５の配列方向に直交する方向をもって配線基板４０の面に平行に伸び、配線基板４０に設けられたグラウンド電位部２５に含まれるグラウンド端子部２６に接続されるグラウンド接続端子部１６ａと、絶縁ハウジング１１が形成している嵌合係合部を構成する嵌合凸部１３に配されて、リセプタクルコネクタに配されたリセプタクル側グラウンドコンタクト（相手側グラウンドコンタクト）に接触するものとされるグラウンド用接触部１６ｂとを有している。
【００３３】
なお、図２に示されるように、導電性シェル１２におけるグラウンド接続片部１４が形成された部位に連なる部位に、複数のシグナルコンタクト１５のシグナル接続端子部１５ａとの接触を回避するための、複数のシグナルコンタクト１５の配列方向に沿って伸びる切欠部１２ｂが形成されている。
【００３４】
図３における一点鎖線枠Ｐ内を拡大して示す図５に明瞭に示されるように、絶縁ハウジング１１におけるグラウンドコンタクト１６のグラウンド接続端子部１６ａに対応する部位には、切欠部２０が形成されている。そして、シグナルコンタクト１５のシグナル接続端子部１５ａは、絶縁ハウジング１１における嵌合凸部１３の外側部分から絶縁ハウジング１１の外部へと突出しているのに対して、グラウンドコンタクト１６のグラウンド接続端子部１６ａは、絶縁ハウジング１１に設けられた切欠部２０内において絶縁ハウジング１１の外部に出ている。このようなグラウンド接続端子部１６ａを有したグラウンドコンタクト１６は、例えば、絶縁ハウジング１１により保持されたシグナルコンタクト１５を成すものとしてハウジング長手方向に沿って配列配置された複数のコンタクトのうちの一つが、シグナル接続端子部１５ａに代えてグラウンド接続端子部１６ａを有するものとされることにより形成される。従って、各々がグラウンド接続端子部１６ａを有した複数のグラウンドコンタクト１６は、例えば、絶縁ハウジング１１により保持されたシグナルコンタクト１５を成すものとしてハウジング長手方向に沿って配列配置された複数のコンタクト形成部材のうちの複数個が、各々のシグナル接続端子部１５ａに代えてグラウンド接続端子部１６ａを有するものとされることにより形成されることになる。
【００３５】
斯かる際、上述のようなグラウンド接続端子部１６ａを有したグラウンドコンタクト１６は、複数のシグナルコンタクト１５を成すものとして配列配置された複数のコンタクト形成部材のうちの一つについて、そのシグナル接続端子部１５ａを成す部分の一部を切除して残った部分をグラウンド接続端子部１６ａとすることにより形成することができ、言わば、シグナルコンタクト１５をグラウンドコンタクト１６に変えることができることになって、グラウンド接続端子部１６ａはシグナル接続端子部１５ａより小なる寸法を有し、複数のシグナルコンタクト１５の配列方向に直交する方向をもって配線基板４０の面に平行に伸びるものとされる。それにより、コンタクト形成部材のシグナルコンタクト１５とグラウンドコンタクト１６とについての共有化を図ることができて、部材管理が容易となり、コネクタ装置１０の製造効率を向上させることができる。
【００３６】
図６は、コネクタ装置１０が配線基板４０（図示省略）に装着された状態を示し、図７は、本発明に係るコネクタ装置の一例が配線基板４０（図示省略) に装着されたもとで導電性シェル１２が除去された状態を示す。
【００３７】
図６及び図７に示されるように、コネクタ装置１０が配線基板４０に装着されたもとにあっては、導電性シェル１２におけるハウジング長手方向の両端部に夫々設けられたグラウンド接続取付部１２ａの各々が、配線基板４０に設けられたグラウンド電位部２５に半田付けされて接続される。また、それとともに、図８にも示されるように、導電性シェル１２におけるハウジング長手方向の両端部に夫々設けられたグラウンド接続取付部１２ａの間となる部位に設けられた複数のグラウンド接続片部１４の夫々が、配線基板４０に設けられたグラウンド電位部２５に含まれる複数のグラウンド端子部２６のうちの１つに半田付けされて接続される。
【００３８】
また、図９にも示されるように、ハウジング長手方向に沿って配列配置された複数のシグナルコンタクト１５の夫々のシグナル接続端子部１５ａが、配線基板４０に設けられた複数のシグナル端子部２７のうちの１つに半田付けされて接続される。さらに、図７及び図８に示されるように、配列配置された複数のシグナルコンタクト１５の配列中に配された複数のグラウンドコンタクト１６の夫々のグラウンド接続端子部１６ａが、配線基板４０に設けられたグラウンド電位部２５に含まれる複数のグラウンド端子部２６のうちの１つに、複数のシグナルコンタクト１５の配列方向に直交する方向において導電性シェル１２のグラウンド接続片部１４との配列を成すものとして半田付けにより接続される。複数のグラウンド端子部２６の夫々には、導電性シェル１２に設けられたグラウンド接続片部１４も半田付けされて接続されるので、複数のグラウンド端子部２６の夫々は、導電性シェル１２に設けられたグラウンド接続片部１４とグラウンドコンタクト１６のグラウンド接続端子部１６ａとの両者に共通のものとされていることになる。即ち、導電性シェル１２に設けられたグラウンド接続片部１４とグラウンドコンタクト１６のグラウンド接続端子部１６ａとは、両者に共通のものとされる配線基板４０に設けられたグラウンド電位部２５に含まれるグラウンド端子部２６に、複数のシグナルコンタクト１５の配列方向に直交する方向に配列されて、半田付けにより接続されるのである。
【００３９】
このようにして、導電性シェル１２に設けられたグラウンド接続片部１４が、グラウンドコンタクト１６のグラウンド接続端子部１６ａとともに、両者に共通のものとされる配線基板４０に設けられたグラウンド電位部２５に含まれるグラウンド端子部２６に半田付けされて接続されることにより、導電性シェル１２における、配線基板４０のグラウンド電位部２５に接続されるグラウンド接続取付部１２ａが設けられてグラウンド電位が与えられる両端部の間の部位に、グラウンド接続片部１４を通じてグラウンド電位が与えられることになる。            
【００４０】
図１０は、コネクタ装置１０が嵌合連結される相手側コネクタを成すリセプタクルコネクタの一例を示す。
【００４１】
図１０において、コネクタ装置１０が嵌合連結される相手側コネクタを成すリセプタクルコネクタの一例をなすリセプタクルコネクタ３０は、合成樹脂等の絶縁材料によって形成されたリセプタクル側絶縁ハウジング（相手側絶縁ハウジング）３１を備えている。リセプタクル側絶縁ハウジング３１には、コネクタ装置１０の一対の嵌合凸部１３が夫々嵌合挿入される一対の嵌合凹部３２が、嵌合係合部を構成するものとして設けられている。一対の嵌合凹部３２は、夫々がリセプタクル側絶縁ハウジング３１の長手方向（以下、リセプタクル側ハウジング長手方向という）に伸びるものとされていて、互いに平行に配されている。そして、リセプタクル側絶縁ハウジング３１は、リセプタクルコネクタ３０が装着された配線基板（以下、リセプタクル側配線基板５０という。）の面上に配される。リセプタクル側配線基板５０は、図１０においては図示が省略されており、後述される図１１及び図１２に示されている。
【００４２】
リセプタクル側絶縁ハウジング３１における一対の嵌合凹部３２の夫々を形成する部分である嵌合凹部形成部には、複数のリセプタクル側シグナルコンタクト（相手側シグナルコンタクト）３３が、嵌合凹部３２に沿って、従って、リセプタクル側ハウジング長手方向に沿って配列配置されている。さらに、リセプタクル側絶縁ハウジング３１の嵌合凹部形成部には、複数のリセプタクル側グラウンドコンタクト（相手側グラウンドコンタクト）３４も、リセプタクル側ハウジング長手方向に沿って配列配置された複数のリセプタクル側シグナルコンタクト３３の配列中に所定の間隔をおいて配されている。それにより、複数のリセプタクル側シグナルコンタクト３３と複数のリセプタクル側グラウンドコンタクト３４とが、リセプタクル側ハウジング長手方向に沿う配列配置を形成する状態をもって、リセプタクル側絶縁ハウジング３１により保持されていることになる。
【００４３】
複数のリセプタクル側シグナルコンタクト３３及び複数のリセプタクル側グラウンドコンタクト３４の夫々は、例えば、弾性を有した金属板材料に打抜き折曲げ加工が施されて形成され、全体として弾性と導電性とを具えた屈曲帯状体を成すものとされている。
【００４４】
そして、複数のリセプタクル側シグナルコンタクト３３の夫々は、リセプタクル側配線基板５０に設けられたシグナル端子部３５（後述される図１１に示されている。）に半田付けされて接続されるシグナル接続端子部３３ａと、リセプタクル側絶縁ハウジング３１に設けられた嵌合凹部３２に配されて、コネクタ装置１０における複数のシグナルコンタクト１５の夫々におけるシグナル用接触部１５ｂに押圧接触するものとされるシグナル用接点部３３ｂとを有している。また、複数のリセプタクル側グラウンドコンタクト３４の夫々は、リセプタクル側配線基板５０に設けられたグラウンド端子部３６（後述される図１２に示されている。）に半田付けされて接続されるグラウンド接続端子部３４ａと、リセプタクル側絶縁ハウジング３１に設けられた嵌合凹部３２に配されて、コネクタ装置１０における複数のグラウンドコンタクト１６の夫々におけるグラウンド用接触部１６ｂに押圧接触するものとされるグラウンド用接点部３４ｂとを有している。
【００４５】
配線基板４０に装着されたコネクタ装置１０が、リセプタクル側配線基板５０に装着されたリセプタクルコネクタ３０に嵌合連結されるときには、コネクタ装置１０の絶縁ハウジング１１が形成する嵌合係合部である一対の嵌合凸部１３が、リセプタクルコネクタ３０のリセプタクル側絶縁ハウジング３１に設けられた嵌合係合部である一対の嵌合凹部３２に夫々嵌合挿入される。それにより、配線基板４０とリセプタクル側配線基板５０とが対面近接重ね合わせ連結が行なわれる状態におかれる。
【００４６】
斯かる際には、図１１に示されるように、コネクタ装置１０における複数のシグナルコンタクト１５の夫々のシグナル用接触部１５ｂに、リセプタクルコネクタ３０における複数のリセプタクル側シグナルコンタクト３３の夫々のシグナル用接点部３３ｂが押圧接触する。それにより、コネクタ装置１０における複数のシグナルコンタクト１５とリセプタクルコネクタ３０における複数のリセプタクル側シグナルコンタクト３３とが、相互接触接続状態におかれ、コネクタ装置１０が装着された配線基板４０に設けられた複数のシグナル端子部２７が、コネクタ装置１０における複数のシグナルコンタクト１５及びリセプタクルコネクタ３０における複数のリセプタクル側シグナルコンタクト３３を介して、リセプタクルコネクタ３０が装着されたリセプタクル側配線基板５０に設けられたシグナル端子部３５に連結される。
【００４７】
また、図１２に示されるように、コネクタ装置１０における複数のグラウンドコンタクト１６の夫々のグラウンド用接触部１６ｂに、リセプタクルコネクタ３０における複数のリセプタクル側グラウンドコンタクト３４の夫々のグラウンド用接点部３４ｂが押圧接触する。それにより、コネクタ装置１０における複数のグラウンドコンタクト１６とリセプタクルコネクタ３０における複数のリセプタクル側グラウンドコンタクト３４とが、相互接触接続状態におかれ、コネクタ装置１０が装着された配線基板４０に設けられた複数のグラウンド端子部２６が、コネクタ装置１０における複数のグラウンドコンタクト１６及びリセプタクルコネクタ３０における複数のリセプタクル側グラウンドコンタクト３４を介して、リセプタクルコネクタ３０が装着されたリセプタクル側配線基板５０に設けられたグラウンド端子部３６に連結される。
【００４８】
このようなもとで、コネクタ装置１０における導電性シェル１２には、それに形成された複数のグラウンド接続取付部１２ａ及び複数のグラウンド接続片部１４を通じて、コネクタ装置１０が装着された配線基板４０におけるグラウンド端子部２６を含んだグラウンド電位部２５からのグラウンド電位が加えられている。それにより、コネクタ装置１０における導電性シェル１２が、相互接続状態におかれたコネクタ装置１０における複数のシグナルコンタクト１５及びリセプタクルコネクタ３０における複数のリセプタクル側シグナルコンタクト３３に対してシールド作用をもたらす。
【００４９】
上述のような本発明に係るコネクタ装置の一例を成すコネクタ装置１０にあっては、配線基板４０に装着されたもとにおいて、絶縁ハウジング１１における嵌合凸部１３の外側部分を部分的に覆う導電性シェル１２が、複数のシグナルコンタクト１５の配列方向（ハウジング長手方向）の両端部の間の部位となる、グラウンドコンタクト１６のグラウンド接続端子部１６ａに対応する部位に、グラウンドコンタクト１６のグラウンド接続端子部１６ａと共に配線基板４０におけるグラウンド電位部２５に含まれるグラウンド端子部２６に半田付けされて接続されるグラウンド接続片部１４が形成されたものとされ、それにより、複数のシグナルコンタクト１５の配列方向の両端部の間の部位にグラウンド電位が与えられるものとされる。従って、コネクタ装置１０によれば、導電性シェル１２を、例えば、複数のシグナルコンタクト１５の配列方向の両端部が、配線基板４０におけるグラウンド電位部２５に接続され、それに加えて、斯かる両端部の間に位置する部位も、配線基板４０におけるグラウンド電位部２５に含まれるグラウンド端子部２６に接続されたものとして、複数のシグナルコンタクト１５の配列方向の両端部とそれらの間の部位とにおいてグラウンド電位が与えられるものとすることができる。その結果、導電性シェル１２は、複数のシグナルコンタクト１５に対する優れたグラウンド特性を呈するものとなる。
【００５０】
また、コネクタ装置１０にあっては、導電性シェル１２におけるグラウンドコンタクト１６のグラウンド接続端子部１６ａに対応する部位に複数のシグナルコンタクト１５の配列方向に直交する方向をもって配線基板４０の面に平行に伸びる短冊状部を成すグラウンド接続片部１４が形成され、そのグラウンド接続片部１４とグラウンドコンタクト１６のグラウンド接続端子部１６ａとが、両者に共通のものとされる配線基板４０に設けられたグラウンド端子部２６に、複数のシグナルコンタクト１５の配列方向に直交する方向に配列されて、半田付けされて接続されることにより、導電性シェル１２における複数のシグナルコンタクト１５の配列方向の両端部の間の部位が配線基板４０におけるグラウンド電位部２５に接続される状態がとられる。それにより、グラウンド接続片部１４及びグラウンド接続端子部１６ａがグラウンド端子部２６に確実かつ堅固に半田付けされ、例えば、コネクタ装置１０のより一層の小型化や薄型化が図られて、導電性シェル１２に設けられるグラウンド接続用の端子部が配置位置や個数についての厳しい制約を受けるもとにあっても、導電性シェル１２における複数のシグナルコンタクト１５の配列方向の両端部の間の部位が、配線基板４０におけるグラウンド電位部２５に確実かつ安定に接続されることになる。
【００５１】
さらに、コネクタ装置１０にあっては、グラウンドコンタクト１６のグラウンド接続端子部１６ａ及び導電性シェル１２のグラウンド接続片部１４が、配線基板４０の面に沿い複数のシグナルコンタクト１５の配列方向に直交する方向に配列されて、配線基板４０に設けられたグラウンド端子部２６に半田付けされて接続されるので、グラウンド端子部２６の複数のシグナルコンタクト１５の配列方向における寸法を、シグナルコンタクト１５のシグナル接続端子部１５ａが接続されるシグナル端子部２７より大とする必要がなく、シグナル端子部２７と同等のものとすることができる。また、導電性シェル１２のグラウンド接続片部１４が、複数のシグナルコンタクト１５の配列方向に直交する方向をもって配線基板４０の面に平行に伸びる短冊状部を成すものとして形成されるので、配線基板４０に設けられたグラウンド端子部２６への半田付けが容易かつ確実に行われるものとされる。それに加えて、グラウンドコンタクト１６のグラウンド接続端子部１６ａ及び導電性シェル１２のグラウンド接続片部１４は、複数のシグナルコンタクト１５の配列方向における配置位置について格別の制約を受けるものではないので、配線基板４０におけるグラウンド電位部２５に含まれるグラウンド端子部２６の位置に応じた導電性シェル１２における任意の部位を、配線基板４０におけるグラウンド電位部との接続部分とすることができる。
【産業上の利用可能性】
【００５２】
以上のような本発明に係るコネクタ装置は、例えば、配線基板に取り付けられて、相手側コネクタに嵌合連結されるコネクタ装置であって、導電性シェルにおける複数のシグナルコンタクトの配列方向の両端部の間の部位が、配線基板におけるグラウンド電位部に確実かつ安定に接続されることになるものとして、様々な電子機器等に広く適用され得るものである。
【符号の説明】
【００５３】
１０・・・コネクタ装置，  １１・・・絶縁ハウジング，  １２・・・導電性シェル，  １３・・・嵌合凸部，  １４・・・グラウンド接続片部，  １５・・・シグナルコンタクト，  １５ａ，３３ａ・・・シグナル接続端子部，  １５ｂ・・・シグナル用接触部，  １６・・・グラウンドコンタクト，  １６ａ，３４ａ・・・グラウンド接続端子部，  １６ｂ・・・グラウンド用接触部，  ２０・・・切欠部，  ２５・・・グラウンド電位部，  ２６，３６・・・グラウンド端子部，  ２７，３５・・・シグナル端子部，  ３０・・・リセプタクルコネクタ，  ３１・・・リセプタクル側絶縁ハウジング，  ３２・・・嵌合凹部，  ３３・・・リセプタクル側シグナルコンタクト，  ３３ｂ・・・シグナル用接点部，  ３４・・・リセプタクル側グラウンドコンタクト，  ３４ｂ・・・グラウンド用接点部，  ４０・・・配線基板，  ５０・・・リセプタクル側配線基板
【図１】
0005818016.tif 000002
【図２】
0005818016.tif 000003
【図３】
0005818016.tif 000004
【図４】
0005818016.tif 000005
【図５】
0005818016.tif 000006
【図６】
0005818016.tif 000007
【図７】
0005818016.tif 000008
【図８】
0005818016.tif 000009
【図９】
0005818016.tif 000010
【図１０】
0005818016.tif 000011
【図１１】
0005818016.tif 000012
【図１２】
0005818016.tif 000013